(57)【要約】【課題】いつでも必要な時に車両と共にチャイルドシートなどの物品を利用できるようにする。【解決手段】カーシェアリングシステムは、駐車場に配置されている車両１１を複数のユーザーが共同で利用できるように構成されている。この駐車場内の車両の近傍すなわち車両１１の後方にチャイルドシート４などの物品を収納する収納庫２１を設置する。ユーザーは車両を利用する時に、収納庫２１内のチャイルドシート４などの物品を自由に利用することができる。車両返却時にはチャイルドシート４などの物品を収納庫２１内に収納するだけでよい。これによって、貸し出し時や返却時の時間を制限されることなく、必要な時に自由に車両と共に収納庫２１内のチャイルドシート４などの物品を利用することができる。【選択図】  図１
2020172830.tif 000002
【特許請求の範囲】
【請求項１】
駐車場に配置されている１又は複数の車両を複数のユーザーが共同で利用することができるように構成されたカーシェアリングシステムにおいて、
前記駐車場内の前記車両の近傍に物品を収納する収納手段を配置したことを特徴とするカーシェアリングシステム。
【請求項２】
請求項１に記載のカーシェアリングシステムにおいて、
前記複数の車両に対してそれぞれ１つの収納手段が割り当てられて前記駐車場内に配置されることを特徴とするカーシェアリングシステム。
【請求項３】
請求項２に記載のカーシェアリングシステムにおいて、
前記収納手段以外に共通に利用可能な共通収納手段が前記駐車場内に配置されることを特徴とするカーシェアリングシステム。
【請求項４】
請求項１に記載のカーシェアリングシステムにおいて、
前記収納手段として、共通に利用される共通収納手段が前記車両台数よりも少ない数だけ前記駐車場内に配置されることを特徴とするカーシェアリングシステム。
【請求項５】
請求項１に記載のカーシェアリングシステムにおいて、
前記収納手段の施錠手段を解錠するための鍵を前記車両内に配置したことを特徴とするカーシェアリングシステム。
【請求項６】
駐車場に配置されている１又は複数の車両を複数のユーザーが共同で利用するカーシェアリング方法において、物品を収納する収納手段を前記駐車場内の前記車両の近傍に配置し、前記ユーザーが前記車両を利用する時に前記収納手段に収納されている物品を利用できるようにしたことを特徴とするカーシェアリング方法。
【請求項７】
請求項６に記載のカーシェアリング方法において、
前記複数の車両に対してそれぞれ１つの収納手段を割り当てて前記駐車場内に配置することを特徴とするカーシェアリング方法。
【請求項８】
請求項７に記載のカーシェアリング方法において、
前記収納手段以外に共通に利用可能な共通収納手段を前記駐車場内に配置することを特徴とするカーシェアリング方法。
【請求項９】
請求項６に記載のカーシェアリング方法において、
前記収納手段として、共通に利用される共通収納手段を前記車両台数よりも少ない数だけ前記駐車場内に配置することを特徴とするカーシェアリング方法。
【請求項１０】
請求項６に記載のカーシェアリング方法において、
前記収納手段の施錠手段を解錠するための鍵を前記車両内に配置したことを特徴とするカーシェアリング方法。
【発明の詳細な説明】
【技術分野】
【０００１】
本発明は、複数のユーザーが車両を共同で利用するカーシェアリングシステム及びカーシェアリング方法に係り、特に車両の利用に応じて収納してある物品を利用可能とする収納庫を備えたカーシェアリングシステム及びカーシェアリング方法に関する。
【背景技術】
【０００２】
複数のユーザーが車両を共同で利用するカーシェアリングシステムは、駐車場に配置されている車両を、利用者がインターネットや電話などで予約し、予約した時刻に駐車場に出向いて、会員カードを車両のカードリーダ部にかざしてドアロックを解錠し、車内に設置されているキーを用いて利用するというものである。
【特許文献１】特開２０１８−８１６１８号公報
【発明の開示】
【発明が解決しようとする課題】
【０００３】
特許文献１に記載の管理装置は、カーシェアリングシステムにおける貸し出し対象となる車両を検索するための仕組みに関するものである。この管理装置では、車両の装備に関する情報として、チャイルドシート、スノータイヤ、チェーン、キャリーなどの有無を検索対象として記録している。従って、ユーザーは、この車両の装備に関する情報の中から所望する装備を備えている車両を検索して利用する。
これらの車両の装備の中で、特にチャイルドシートは、０〜４歳くらいの対象となる子どもを同乗させる場合にはその装着が義務化されているため、子どもを同乗させたいユーザーにとってチャイルドシートは必須の物品である。
【０００４】
カーシェアリングシステムにおいては、チャイルドシートを装着している車両は全体の割合から見たら極めて少ないため、ユーザーの中には、自分でチャイルドシートを購入し、自宅から車両まで持参して、車両に取り付け、使用後に取り外し、自宅に持ち帰ることによって、車両を利用しているのが現状である。
【０００５】
また、カーシェアリングシステムの中には、店舗などでチャイルドシートの無料貸出を行っているところもある。しかしながら、チャイルドシートの貸し出し作業を店舗スタッフが行わなければならず、貸し出し時や返却時の時間を制限されることとなり、必要な時に自由に利用できるというカーシェアリングシステムの利点を損なうこととなっていた。また、このような貸し出しを行う店舗数も少ないのが現状である。
【０００６】
本発明は、上述の点に鑑みなされたものであり、いつでも必要な時に車両と共にチャイルドシートなどの物品を利用することのできるカーシェアリングシステム及びカーシェアリング方法を提供することを目的とする。
【課題を解決するための手段】
【０００７】
本発明に係るカーシェアリングシステムの第１の特徴は、駐車場に配置されている１又は複数の車両を複数のユーザーが共同で利用することができるように構成されたカーシェアリングシステムにおいて、前記駐車場内の前記車両の近傍に物品を収納する収納手段を配置したことにある。
これは、カーシェアリングシステム用の車両が配置された駐車場内の車両の近傍に、チャイルドシートなどの物品を収納可能な収納手段を設置し、車両の利用時にユーザーが収納手段内の物品を利用できるようにしたものである。これによって、ユーザーは、いつでも必要な時に車両と共にチャイルドシートなどの物品を利用することができるという効果を奏する。
【０００８】
本発明に係るカーシェアリングシステムの第２の特徴は、前記第１の特徴に記載のカーシェアリングシステムにおいて、前記複数の車両に対してそれぞれ１つの収納手段が割り当てられて前記駐車場内に配置されていることにある。
これは、カーシェアリングシステム用の駐車場に十分なスペースが存在する場合に、それぞれの車両に対応して収納手段を配置するようにしたものである。
【０００９】
本発明に係るカーシェアリングシステムの第３の特徴は、前記第２の特徴に記載のカーシェアリングシステムにおいて、前記収納手段以外に共通に利用可能な共通収納手段が前記駐車場内に配置されることにある。
これは、各車両に対応して設置された収納手段の収納容量には限界があるので、収納手段以外に共通収納手段を設置し、利用頻度の高いチャイルドシートなどの物品をこの共通収納庫内に収納し、ユーザーの利用に供するようにしたものである。
【００１０】
本発明に係るカーシェアリングシステムの第４の特徴は、前記第１の特徴に記載のカーシェアリングシステムにおいて、前記収納手段として、共通に利用される共通収納手段が前記車両台数よりも少ない数だけ前記駐車場内に配置されることにある。
カーシェアリングシステム用の駐車場に十分なスペースが存在する場合に、それぞれの車両に収納手段を設けることが可能であるが、駐車場に十分なスペースを確保することができない場合が存在する。そこで、この発明では、駐車場内に共通収納手段を設けて、ユーザーがこの共通収納手段に収納されているチャイルドシートなどの物品を利用することができるようにした。
【００１１】
本発明に係るカーシェアリングシステムの第５の特徴は、前記第１の特徴に記載のカーシェアリングシステムにおいて、前記収納手段の施錠手段を解錠するための鍵を前記車両内に配置したことにある。
これは、収納手段の施錠手段を解錠するための鍵を車両内に配置することによって、駐車場に配置されている車両をユーザーが利用する際に、車両のキーと共に収納手段の鍵を取り出して、収納手段の施錠手段を解錠して所望の物品を適宜利用することができるようにしたものである。
【００１２】
本発明に係るカーシェアリング方法の第１の特徴は、駐車場に配置されている１又は複数の車両を複数のユーザーが共同で利用するカーシェアリング方法において、物品を収納する収納手段を前記駐車場内の前記車両の近傍に配置し、前記ユーザーが前記車両を利用する時に前記収納手段に収納されている物品を利用できるようにしたことにある。
これは、前記カーシェアリングシステムの第１の特徴に対応したカーシェアリング方法の発明である。
【００１３】
本発明に係るカーシェアリング方法の第２の特徴は、前記第１の特徴に記載のカーシェアリング方法において、前記複数の車両に対してそれぞれ１つの収納手段を割り当てて前記駐車場内に配置することにある。
これは、前記カーシェアリングシステムの第２の特徴に対応したカーシェアリング方法の発明である。
【００１４】
本発明に係るカーシェアリング方法の第３の特徴は、前記第２の特徴に記載のカーシェアリング方法において、前記収納手段以外に共通に利用可能な共通収納手段を前記駐車場内に配置することにある。
これは、前記カーシェアリングシステムの第３の特徴に対応したカーシェアリング方法の発明である。
【００１５】
本発明に係るカーシェアリング方法の第４の特徴は、前記第１の特徴に記載のカーシェアリング方法において、前記収納手段として、共通に利用される共通収納手段を前記車両台数よりも少ない数だけ前記駐車場内に配置することにある。
これは、前記カーシェアリングシステムの第４の特徴に対応したカーシェアリング方法の発明である。
【００１６】
本発明に係るカーシェアリング方法の第５の特徴は、前記第１の特徴に記載のカーシェアリング方法において、前記収納手段の施錠手段を解錠するための鍵を前記車両内に配置したことにある。
これは、前記カーシェアリングシステムの第５の特徴に対応したカーシェアリング方法の発明である。
【発明の効果】
【００１７】
本発明のカーシェアリングシステム及びカーシェアリング方法によれば、いつでも必要な時に車両と共にチャイルドシートなどの物品を利用することができるという効果がある。
【図面の簡単な説明】
【００１８】
【図１】本発明に係るカーシェアリングシステムの概略構成を示す図である。
【図２】複数の駐車スペースにそれぞれ収納庫を備えたカーシェアリングシステムの概略構成を示す図である。
【図３】図２の実施の形態の変形例を示す図である。
【図４】収納庫の変形例を示す図である。
【発明を実施するための形態】
【００１９】
以下、添付図面に従って本発明に係るカーシェアリングシステムの好ましい実施の形態について説明する。この実施の形態では物品を収納する収納庫として開口部の上下方向に昇降移動するシャッターを備えた収納庫を例に説明する。
【００２０】
図１は、本発明に係るカーシェアリングシステムの概略構成を示す図である。図１に示すように、カーシェアリングシステムでは、複数のユーザーによって共同で利用される車両１がカーシェアリング専用の駐車場の所定の駐車スペース３１に駐車してある。カーシェアリングシステムでは、このような駐車スペース３１を複数備えた駐車場が存在する。この実施の形態では、車両１の後方であって駐車スペース３１の後部側のスペース（車両の近傍）に各種の物品を収納することのできる収納庫２１が設置されている。この実施の形態では、収納庫２１に収納されているのは、主にチャイルドシート４である。図では、このチャイルドシート４が収納庫２１から取り出された状態が示してある。なお、収納庫２１にはチャイルドシート４以外のスノータイヤ、チェーン、キャリーなどの種々の物品が収納される場合もある。
【００２１】
図２は、複数の駐車スペースにそれぞれ収納庫を備えたカーシェアリングシステムの概略構成を示す図である。図２では、５ヶ所の駐車スペース３１〜３５に車両１１〜１５が配置されている。各車両の近傍、すなわち各車両１１〜１５の後方であって駐車スペース３１〜３５の後部側には、物品を収納する収納庫２１〜２５がそれぞれ設置されている。各収納庫２１〜２５は、開口部を上下方向に移動するシャッターを備えている。なお、収納庫２１〜２５は、シャッター以外の開閉体として引き戸などの開閉体を備えたものであってもよい。
【００２２】
各収納庫２１〜２５に設けられているシャッター装置は、基本的にシャッターケース、シャッターカーテン、ガイドレールなどから構成される。シャッターケースは、収納庫２１の開口部の上方に設けられている。ガイドレールは、シャッターカーテンの両端部に接するように収納庫２１の開口部の左右両端側に設けられ、開口部上方から開口部下部まで掛け渡された断面形状がコの字型の案内溝を有する金属製部材で構成されている。シャッターカーテンは、このガイドレールの各案内溝に沿って上昇下降し、開口部の開放し、閉鎖する。収納庫２１〜２５には、それぞれ施錠手段が設けられており、各車両１１〜１５の車内に設置されている鍵を用いて、施錠手段を解錠して利用するこができるように構成されている。車内に設置される鍵は、従来のアナログキー、リモコンキー（ワイヤレスキー）又はスマートキーのいずれでもよい。
【００２３】
各収納庫２１〜２５には、収納された物品の中で特に殺菌消毒を必要とするチャイルドシートの近傍、すなわちチャルイドシート収納棚などの上部に、殺菌灯を備え、常時殺菌消毒しており、衛生面対策が施してある。なお、殺菌灯は、収納される物品の種類に応じて１又は複数設けられる。また、殺菌灯の他にも、収納庫２１〜２５は、シャッターの開動作に対応して点灯し、収納庫内を明るく照らす照明装置を具備している。収納庫の周辺や内部に監視カメラなどを設置し、収納庫内を常時監視するようにしてもよい。また、この監視カメラは、収納庫の開動作に連動して監視を開始するようにしてもよい。また、こき監視カメラを用いて収納庫内の物品の設置状態を把握可能としてもよい。
【００２４】
図３は、図２の実施の形態の変形例を示す図である。図２の実施の形態では、複数の車両１１〜１５に対してそれぞれ１つの収納庫２１〜２５が割り当てられて駐車場内に配置される場合について説明したが、図３に示すように駐車場内に共通収納庫２１０を設けて、ユーザーがこの共通収納庫２１０に収納されているチャイルドシートなどの物品を利用できるようにしてもよい。
【００２５】
また、図２の実施の形態では、車両１１〜１５に対応して設置された収納庫２１〜２５の収納容量には限界があるので、収納庫２１〜２５以外に図３に示すような共通収納庫２１０を図２の駐車場内にも設置し、利用頻度の高いチャイルドシートなどの物品をこの共通収納庫２１０内に収納し、ユーザーの利用に供するようにしてもよい。
【００２６】
図４は、収納庫の変形例を示す図である。上述の実施の形態では、１個の開口部を備えた収納庫を例に説明したが、図４に示すような複数の開口部を備えたコインロッカー型の収納庫を共通収納庫２１０として利用することによって、多数のユーザーに種々の物品を提供することができる。
【００２７】
上述の実施の形態では、上下昇降方式で繰り出されるシャッター装置を例に説明したが、シャッター状の開閉部材が横引き方式で繰り出されたり、あるいは水平方式で繰り出されたりするものであってもよい。また、シャッター装置や引き戸装置は電動であってもよい。駐車場（ガレージ）の端の方に、まとめて数台の収納庫を配置してもよい。駐車場（ガレージ）の精算マシンの横に、大きな収納庫（連結収納庫等）を１台配置してもよい。双子の場合、２つのチャイルドシートが必要なので、大きな収納庫に、まとめて複数のチャイルドシートが収納されるようにしてもよい。
【符号の説明】
【００２８】
１１〜１５…車両
２１〜２５，２１０…収納庫
３１〜３５…駐車スペース
４…チャイルドシート
【図１】
2020172830.tif 000003
【図２】
2020172830.tif 000004
【図３】
2020172830.tif 000005
【図４】
2020172830.tif 000006